(57)【要約】      （修正有）【課題】ファン及びエネルギー貯蔵ユニットをモジュール化し、送風機モジュール及びエネルギー貯蔵モジュールが数量を増加及び位置変更を容易化すると同時に、エネルギー貯蔵ユニットの交換がしやすく、冷暖気を貯蔵するマシンが良好な温度調整効率を維持できる冷暖気を貯蔵するマシンの構造を提供する。【解決手段】本体１に風の入口１２及び風の出口１３を設け、該風の入口及び風の出口の間に相互が導通する複数の収納槽１１２を形成する。送風機モジュール２は第一引出２１及び第一引出内に設置するファン２２を含み、該第一引出を収納槽に差し込む。エネルギー貯蔵モジュール３に含まれるのは、第二引出３１及び第二引出内に設置するエネルギー貯蔵ユニット３２であり、該第二引出を別の収納槽に差し込み、該第一引出及び該第二引出は互いに導通する。【選択図】図１
0003175863.tif 000002
【実用新案登録請求の範囲】
【請求項１】
一つの本体、一つの送風機モジュール及び一つのエネルギー貯蔵モジュールを含み、
一つの本体に一つの風の入口及び一つの風の出口を設け、該風の入口及び風の出口の間に相互が導通する複数の収納槽を形成し、
一つの送風機モジュールに含まれるのは、一つの第一引出及び第一引出内に設置する一つのファンであり、該第一引出を中の一つの収納槽に差し込み、及び
一つのエネルギー貯蔵モジュールに含まれるのは、一つの第二引出及び第二引出内に設置する一つのエネルギー貯蔵ユニットであり、該第二引出を別の一つの収納槽に差し込み、該第一引出及び該第二引出は互いに導通することを特徴とする冷暖気を貯蔵するマシンの構造。
【請求項２】
前記本体は一つのフレームを含み、該フレームに複数の開口を設け、且つ一つの開口に相対して収納槽を形成し、該フレームの上下或いは左右に風の入口及び風の出口を形成することを特徴とする請求項１記載の冷暖気を貯蔵するマシンの構造。
【請求項３】
前記本体に複数のフレームを含み、該フレームは積み重ねる或いは並列して組み合わせ、一つのフレームに一つの開口を設け、且つ該開口に相対して収納槽を形成し、該フレームの上下或いは左右に風の入口及び風の出口を形成することを特徴とする請求項１記載の冷暖気を貯蔵するマシンの構造。
【請求項４】
更に一つの空気進入モジュールを含み、該空気進入モジュールは一つの第三引出及び第三引出内に設置する一つのろ過ユニットを含み、該第三引出を別の一つの収納槽に差し込み、該第三引出の底部或いは左右は網状或いは多孔状の通気構造であり、該網状或いは多孔状の通気構造を風の入口に対応して配置し、第一引出、第二引出及び第三引出は互いに導通することを特徴とする請求項１記載の冷暖気を貯蔵するマシンの構造。
【請求項５】
前記第一引出及び第二引出の底部或いは左右は網状或いは多孔状の通気構造であることを特徴とする請求項１記載の冷暖気を貯蔵するマシンの構造。
【請求項６】
更に一つのシートを含み、該シートを該本体の底部に設置し、該シートに一つの通気槽を設け、該通気槽は風の入口に対応して配置することを特徴とする請求項１記載の冷暖気を貯蔵するマシンの構造。
【請求項７】
更に一つのウインドシールドを含み、該ウインドシールドを本体の片側に設置し、該ウインドシールドに一つの気流ガイド槽を該風の出口に対応して配置することを特徴とする請求項１記載の冷暖気を貯蔵するマシンの構造。
【請求項８】
前記エネルギー貯蔵ユニットは複数のエネルギー貯蔵部品を含み、一つのエネルギー貯蔵部品の内部に相変化のエネルギー貯蔵材料を充填することを特徴とする請求項１記載の冷暖気を貯蔵するマシンの構造。
【請求項９】
前記一つのエネルギー貯蔵部品の外形はシート状、球状或いは三角の形状にすることを特徴とする請求項８記載の冷暖気を貯蔵するマシンの構造。
【請求項１０】
一つの送風機モジュール及び一つのエネルギー貯蔵モジュールを含み、
一つの送風機モジュールは一つの第一本体及び該第一本体内に設置する一つのファンを含み、
一つのエネルギー貯蔵モジュールは一つの第二本体及び該第二本体内に設置する一つのエネルギー貯蔵ユニットを含み、該第一本体及び第二本体は互いに連接して導通し、且つ該第一本体及び該第二本体の上下に一つの風の入口及び一つの風の出口を形成することを特徴とする冷暖気を貯蔵するマシンの構造。
【請求項１１】
前記第一本体及び該第二本体は積み重ねる形で組み合わせることを特徴とする請求項１０記載の冷暖気を貯蔵するマシンの構造。
【請求項１２】
前記第一本体及び該第二本体はそれぞれ相互に対応する一つの網状或いは多孔状の通気構造を設けることを特徴とする請求項１０記載の冷暖気を貯蔵するマシンの構造。
【請求項１３】
更に一つの空気進入モジュールを含み、該空気進入モジュールは一つの第三本体及び該第三本体内に設置する一つのろ過ユニットを含み、該第三本体に一つの網状或いは多孔状の通気構造を設け、該網状或いは多孔状の通気構造は風の入口に対応して配置し、第一本体、第二本体及び第三本体は互いに導通することを特徴とする請求項１０記載の冷暖気を貯蔵するマシンの構造。
【請求項１４】
更に一つのシートを含み、該シートを第三本体の底部に設置し、該シートに一つの通気槽を設け、該通気槽は網状或いは多孔状の通気構造に対応して配置することを特徴とする請求項１３記載の冷暖気を貯蔵するマシンの構造。
【請求項１５】
更に一つのウインドシールドを含み、該ウインドシールドを第一本体及び第二本体の片側に設置し、該ウインドシールドに一つの気流ガイド槽を該風の出口に対応して配置することを特徴とする請求項１０記載の冷暖気を貯蔵するマシンの構造。
【請求項１６】
前記エネルギー貯蔵ユニットは複数のエネルギー貯蔵部品を含み、一つのエネルギー貯蔵部品の内部に相変化のエネルギー貯蔵材料を充填することを特徴とする請求項１０記載の冷暖気を貯蔵するマシンの構造。  
【請求項１７】
一つのエネルギー貯蔵部品の外形はシート状、球状或いは三角の形状にすることを特徴とする請求項１６記載の冷暖気を貯蔵するマシンの構造。
【考案の詳細な説明】
【技術分野】
【０００１】
本考案はエネルギー貯蔵装置の構造に関し、特に冷暖気を貯蔵するマシンの構造に関する。
【背景技術】
【０００２】
夏或いは昼間の室温が高い場合、或いは冷蔵室など温度を低くする必要のある場所では、空調システムを使って温度を下げる。また、冬或いは夜の室温が低い場合、或いは乾燥室など温度を高くする必要のある場所でも、空調システムを使って温度を上げる。しかし、冷気或いは暖気に関わらず、空調装置を起動或いは運転する際に、大量の電力エネルギーを費やしてのみ、温度調節をすることができる。
【０００３】
しかし、エネルギーが欠乏している今日、長期的に空調システムを使用するには、エネルギーを消耗する憂いがあると同時に、空調システムが環境に対し、持続して破壊或いは影響をしているのは否めない。よって、市場にはエネルギーを貯蔵する送風機を案出する者がいた。当該エネルギー貯蔵送風機に含まれるのは、座体及びエネルギー貯蔵ユニットである。座体に第一送風口及び第二送風口を設け、第一送風口及び第二送風口内に第一ファン及び第二ファンを設置する。相変化のエネルギー貯蔵材料を組み込んだエネルギー貯蔵ユニットを座体内に設置する。それにより、空調システムの電源を切っても、エネルギー貯蔵ユニットを使って、持続して冷却或いは加熱を行うことができる。
【０００４】
しかし、上述のエネルギー貯蔵送風機のファン及び貯蔵ユニットの位置は全て固定されているため、ファン及び貯蔵ユニットの相対位置も自由に交換或いは配置することができない。また、環境に応じてファン或いは貯蔵ユニットの数量を増加或いは減少してエネルギー貯蔵送風機の貯蔵効率を調整することができない。更に、一部の貯蔵ユニットに温度を貯蔵する能力を失った場合、即ち熱く或いは冷たく貯蔵できなくなった場合も、新しい貯蔵ユニットに交換しづらいため、エネルギー貯蔵送風機の冷却或いは加熱効果が悪くなることを鑑みて、更なる改善が必要であった。
【考案の概要】
【考案が解決しようとする課題】
【０００５】
前記公知構造の欠点を解決するため、ファン及び貯蔵ユニットをモジュール化し、送風機モジュール及びエネルギー貯蔵モジュールが数量を増加及び位置変更しやすくできると同時に、貯蔵ユニットの交換がしやすく、冷暖気の貯蔵マシンが良好な温度調整効率を維持できる冷暖気を貯蔵するマシンの構造を提供することを主な課題とする。
【課題を解決するための手段】
【０００６】
上述の目的を解決するために、本考案は冷暖気を貯蔵するマシンの構造を提供するものである。主に一つの本体、一つの送風機モジュール及び一つのエネルギー貯蔵モジュールを含み、該一つの本体に一つの風の入口及び一つの風の出口を設け、該風の入口及び風の出口の間に相互が導通する複数の収納槽を形成する。一つの送風機モジュールに含まれるのは、一つの第一引出及び第一引出内に設置する一つのファンであり、該第一引出を一つの収納槽に差し込む。及び一つのエネルギー貯蔵モジュールに含まれるのは、第二引出及び第二引出内に設置する一つのエネルギー貯蔵ユニットであり、該第二引出を別の一つの収納槽に差し込み、該第一引出及び該第二引出は互いに導通する。
【０００７】
上述の目的を解決するために、本考案は冷暖気を貯蔵するマシンの構造を提供するものである。主に一つの送風機モジュール及び一つのエネルギー貯蔵モジュールを含み、一つの送風機モジュールは第一本体及び該第一本体内に設置する一つのファンを含む。及び一つのエネルギー貯蔵モジュールは一つの第二本体及び該第二本体内に設置する一つのエネルギー貯蔵ユニットを含み、該第一本体及び第二本体は互いに連接して導通し、且つ該第一本体及び該第二本体の上下に一つの風の入口及び一つの風の出口を形成する。
【０００８】
本考案は更に下記の効果を具有する。エネルギー貯蔵ユニットをモジュール化することにより、エネルギー貯蔵ユニットを交換しやすくなる。即ちエネルギー貯蔵ユニットが冷却或いは加熱の機能を失った場合、エネルギー貯蔵モジュールにあるエネルギー貯蔵ユニットを差し替えるだけで、冷暖気を貯蔵するマシンに冷却或いは加熱の機能を回復させることができ、良好な温度調整効率を維持できる。
【０００９】
また、相変化のエネルギー貯蔵材料の熱貯蔵量が多いため、長時間一定の溶解温度の状態を維持し、持続して温度を下げる或いは上げることができ、別途熱エネルギーを下げる或いは上げる必要がなく、省エネの効果が得られる。
【００１０】
本考案の冷暖気を貯蔵するマシンは空気進入モジュールを含み、風の入口からの空気をろ過することで、更に良い空気のクォリティを提供する。更に本考案の冷暖気を貯蔵するマシンはシートを含み、該シートは本体（或るいは第三本体）を支えて地面と距離を保つことで、風の入口から外部の空気を吸引しやすくする。また、本考案の冷暖気を貯蔵するマシンはウインドシールドを含むことで、風の出口から排出する冷気或いは暖気を気流ガイド槽により必要な場所に流し、冷暖気を貯蔵するマシンの使用効率を高める。
【００１１】
このほか、ファン及びエネルギー貯蔵ユニットをモジュール化にすることで、送風機モジュール及びエネルギー貯蔵モジュールの数量を増加及び位置変更がしやすくなる。即ち送風機モジュールとエネルギー貯蔵モジュールは情況に応じて数量を増加或いは減少することができ、送風機モジュールとエネルギー貯蔵モジュールの上下相対の位置を互いに調整することができ、冷暖気を貯蔵するマシンを使用する際の便利性を高める。
【考案の効果】
【００１２】
本考案はファン及びエネルギー貯蔵ユニットをモジュール化することにより、送風機モジュール及びエネルギー貯蔵モジュールが数量を増加及び位置変更をしやすくなると同時に、エネルギー貯蔵ユニットの交換がしやすく、冷暖気の貯蔵マシンが良好な温度調整効率を維持できる。
【図面の簡単な説明】
【００１３】
【図１】本考案における冷暖気を貯蔵するマシンの第一実施例の立体分解図である。
【図２】本考案における冷暖気を貯蔵するマシンの第一実施例の組合せ略図である。
【図３】本考案における冷暖気を貯蔵するマシンの第一実施例の使用状態略図である。
【図４】本考案のおける冷暖気を貯蔵するマシンの第一実施例の第二使用状態略図である。
【図５】本考案のおける冷暖気を貯蔵するマシンの第一実施例の第三使用状態略図である。
【図６】本考案のおける冷暖気を貯蔵するマシンの第二実施例の立体分解図である。
【図７】本考案のおける冷暖気を貯蔵するマシンの第三実施例の立体分解図である。
【図８】本考案のおける冷暖気を貯蔵するマシンの第四実施例の立体分解図である。
【図９】本考案のおける冷暖気を貯蔵するマシンの第五実施例の立体分解図である。
【図１０】本考案のおける冷暖気を貯蔵するマシンの第六実施例の立体分解図である。
【考案を実施するための形態】
【００１４】
本考案による冷暖気を貯蔵するマシンの構造を明確に示すために図に沿って詳細な説明を行うが、当該図は実施状況の説明のみであり、これにより本考案の保護範囲が限定されるものではない。
【００１５】
図１から図５に示すように、本考案は冷暖気を貯蔵するマシンを提供する。該冷暖気を貯蔵するマシンに含まれるのは一つの本体１、一つの送風機モジュール２及び一つのエネルギー貯蔵モジュール３である。
【００１６】
本体１の上下両側に一つの風の入口１２及び一つの風の出口１３を設け、風の入口１２及び風の出口１３の間に相互が導通する複数の収納槽１１２を形成する。詳細説明は下記の通りである。本体１に複数のフレーム１１を含み、該フレーム１１は積み重ねた形で組み合わせる。一つのフレーム１１に一つの開口１１１を設け、該開口１１１に相対して一つの収納槽１１２を形成する。該フレーム１１が相対する該収納槽１１２の上下が通風口となり、自然に風の入口１２及び風の出口１３を形成する。
【００１７】
一つの送風機モジュール２は一つの第一引出２１及び第一引出２１内に設置する一つのファン２２を含み、該第一引出２１を一つの収納槽１１２に差し込み、第一引出２１の底部は一つの網状或いは多孔状の通気構造２１１である。
【００１８】
一つのエネルギー貯蔵モジュール３に含まれるのは、  一つの第二引出３１及び第二引出３１内に設置する一つのエネルギー貯蔵ユニット３２であり、該第二引出３１を別の一つの収納槽１１２に差し込み、第二引出３１も第一引出２１と同様に一つの網状或いは多孔状の通気構造３１１を設ける。第一実施例のように、第一引出２１の底部は網状或いは多孔状の通気構造２１１であり、第二引出３１の底部も一つの網状或いは多孔状の通気構造３１１であるため、第一引出２１及び第二引出３１は互いに導通する。また、エネルギー貯蔵ユニット３２は複数のエネルギー貯蔵部品３２１を含み、一つのエネルギー貯蔵部品３２１の内部に相変化のエネルギー貯蔵材料を充填し、該相変化のエネルギー貯蔵材料とは塩類の相変化材料或いはパラフィンの中の一種類を指し、また、一つのエネルギー貯蔵部品３２１は接触面積を広くするために、外形はシート状、球状或いは三角の形状にすることができる。
【００１９】
本考案の冷暖気を貯蔵するマシンは更に一つの空気進入モジュール４を含み、該空気進入モジュール４は一つの第三引出４１及び第三引出４１内に設置する一つのろ過ユニット４２を含み、該第三引出４１を別の一つの収納槽１１２に差し込み、該第三引出４１の底部は一つの網状或いは多孔状の通気構造４１１である。該網状或いは多孔状の通気構造４１１を風の入口１２に対応して配置し、且つ第一引出２１、第二引出３１及び第三引出４１は互いに導通する。図１から図５に示す網状或いは多孔状の通気構造４１１は風の入口１２に対応して配置するため、第三引出４１の底部に網状或いは多孔状の通気構造４１１を設ける。該網状或いは多孔状の通気構造４１１の位置は情況に応じて調整することができ、本実施例によって制限されない。
【００２０】
本考案の冷暖気を貯蔵するマシンは更に一つのシート（ｓｅａｔ）５を含み、該シート５を本体１の底部に設置する。該シート５は複数の足或いは複数のキャスターを具有することで、本体１を支えて地面と距離を保つと同時に、キャスターを用いて冷暖気を貯蔵するマシンを便利に移動することができる。また、シート５の頂部に一つの通気槽５１を設け、該通気槽５１は風の入口１２に対応して配置する。該通気槽５１は網状或いは多孔状の通気構造或いは一つの通風口とすることができ、情況に応じて調整できる。
【００２１】
本考案の冷暖気を貯蔵するマシンは更に一つのウインドシールド６を含み、該ウインドシールド６を本体１の片側に設置する。該ウインドシールド６に一つの気流ガイド槽６１を風の出口１３に対応して配置する。図１から図５に示すように、気流ガイド槽６１は風の出口１３に対応して配置するため、ウインドシールド６を本体１の頂部に設置しているが、ウインドシールド６と本体１の相対位置は情況に応じて調整することができ、本実施例によって制限されない。
【００２２】
本考案の冷暖気を貯蔵するマシンの組合せは、本体１に風の入口１２及び風の出口１３を設け、風の入口１２及び出口１３の間に互いに導通する各収納槽１１２を形成する。一つの送風機モジュール２は第一引出２１及び第一引出２１内に設置するファン２２を含み、第一引出２１を中の一つの収納槽１１２に差し込む。一つのエネルギー貯蔵モジュール３に第二引出３１及び第二引出３１内に設置する一つのエネルギー貯蔵ユニット３２を含み、該第二引出３１を別の一つの収納槽１１２に差し込み、第一引出２１及び第二引出３１は互いに導通する。
【００２３】
図３に示すように、エネルギー貯蔵モジュール３を第二引出３１に設置することで、エネルギー貯蔵ユニット３２をモジュール化し、エネルギー貯蔵ユニット３２交換をしやすくする。即ちエネルギー貯蔵ユニット３２に冷却或いは加熱の効果を失う際、エネルギー貯蔵モジュール３にあるエネルギー貯蔵ユニット３２を差し替えるだけで、冷暖気を貯蔵するマシンに冷却或いは加熱の機能を回復させ、良好な温度調節の効果を維持する目的に達する。
【００２４】
図４に示すように、エネルギー貯蔵ユニット３２の溶解温度が５℃〜２６℃の蓄冷ユニット及び、溶解温度が３０℃〜６８℃の蓄熱ユニットに分けられる。電気代金が安い時間（例えば夜間）に予め蓄冷ユニットで冷却貯蔵をする。温度を下げる必要のある場所で使用する際、ファン２２を使って外部の空気を風の入口１２から第一引出２１内に吸引し、外部の空気温度が蓄冷ユニットの溶解温度より高いため、該蓄冷ユニットは熱エネルギーを吸収し始めて溶解するため、風の出口１３から排出する空気は温度を下げる効果を持ち、冷房或いは冷蔵の効果を持つ。同じく、蓄熱ユニットも電気代金が安い時間（例えば夜間）に予め加熱貯蔵をする。温度を上げる必要のある場所で使用する際、ファン２２を使って外部の空気を風の入口１２から第一引出２１内に吸引し、外部の空気温度が蓄熱ユニットの溶解温度より低いため、該蓄熱ユニットは熱エネルギーを放出し始めて凝固するため、風の出口１３から排出する空気は温度を上げる効果を持ち、暖房或いは乾燥の効果を持つ。また、相変化のエネルギー貯蔵材料の熱貯蔵量が多いため、長時間一定の溶解温度の状態を維持し、持続して温度を下げる或いは上げることができ、別途熱エネルギーを下げる或いは上げる必要がなく、省エネの効果が得られる。
【００２５】
また、本考案の冷暖気を貯蔵するマシンは空気進入モジュール４を含み、風の入口１２からの空気をろ過することで、更に良い空気のクォリティを提供する。更に本考案の冷暖気を貯蔵するマシンはシート５を含み、該シート５は本体１を支えて地面と距離を保つことで、風の入口１２から外部の空気を吸引しやすくする。また、本考案の冷暖気を貯蔵するマシンはウインドシールド６を含むことで、風の出口１３から排出する冷気或いは暖気を気流ガイド槽６１により必要な場所に流し、冷暖気を貯蔵するマシンの使用効率を高める。
【００２６】
図５に示すように、エネルギー貯蔵モジュール３を第二引出３１に設置し、ファン２２を第一引出２１に設置することで、ファン２２及びエネルギー貯蔵ユニット３２をモジュール化し、送風機モジュール２及びエネルギー貯蔵モジュール３が各収納槽１１２を使って数量を増加及び位置変更がしやすくなる。即ち送風機モジュール２とエネルギー貯蔵モジュール３は情況に応じて数量を増加或いは減少することができ、送風機モジュール２とエネルギー貯蔵モジュール３の上下相対の位置を互いに調整することができ、冷暖気を貯蔵するマシンを使用する際の便利性を高める。
【００２７】
図６に示すのは、本考案の冷暖気を貯蔵するマシンの第二実施例である。本体１に一つのフレーム１１を含み、該フレーム１１は縦方向に複数の開口１１１を排列し、一つの開口１１１に相対して収納槽１１２を形成する。フレーム１１の上下は通風口であり、自然に風の入口１２及び風の出口１３を形成する。これにより上述の機能及び効果に達することができる。
【００２８】
図７及び図８に示すのは、本考案の冷暖気を貯蔵するマシンの第三実施例及び第四実施例である。一つの送風機モジュール２は一つの第一本体２１’及び第一本体２１’内に設置するファン２２を含む。第一本体２１’の頂部は通風口であり、底部は一つの網状或いは多孔状の通気構造２１１である。
【００２９】
一つのエネルギー貯蔵モジュール３は一つの第二本体３１’及び第二本体３１’内に設置するエネルギー貯蔵ユニット３２を含む。第二本体３１’の頂部は通風口であり、底部は一つの網状或いは多孔状の通気構造３１１である。また、第一本体２１’及び第二本体３１’は互いに連接して導通するため、第一本体２１’及び第二本体３１’の上下は自然と一つの風の入口７及び一つの風の出口８を形成する。当該第一本体２１’及び第二本体３１’は上下層を積み重ねる方法で組み合わせる。
【００３０】
また、空気進入モジュール４は一つの第三本体４１’及び第三本体４１’内に設置するろ過ユニット４２を含み、該第三本体４１’の底部は網状或いは多孔状の通気構造４１１である。該網状或いは多孔状の通気構造４１１は風の入口７に対応して配置し、且つ第一本体２１’、第二本体３１’及び第三本体４１’は互いに導通する。
【００３１】
更にシート５を第三本体４１’の底部に設置し、該シート５の頂部に一つの通気槽５１を設け、該通気槽５１は網状或いは多孔状の通気構造４１１に対応して配置する。且つ該シート５は複数の足或いは複数のキャスターを具有して第一本体２１’、第二本体３１’及び第三本体４１’を支え、地面と距離を保ち、キャスターによって冷暖気を貯蔵するマシンを便利に移動することができる。ウインドシールド６を第一本体２１’及び第二本体３１’の頂部に設置し、気流ガイド槽６１は風の出口８に対応して設置する。
【００３２】
該通気槽５１は網状或いは多孔状の通気構造或いは一つの通風口とすることができ、情況に応じて調整することができる。また、第一本体２１’、第二本体３１’及び第三本体４１’の形状は、四方形の筒状或いは円柱状などの幾何形状とすることができ、それによって制限されない。
【００３３】
第一本体２１’及び第二本体３１’を積み重ねる方法で組合せ、且つファン２２を第一本体２１’に設置し、エネルギー貯蔵ユニット３２を第二本体３１’に設置することでファン２２及びエネルギー貯蔵ユニット３２をモジュール化し、送風機モジュール２及びエネルギー貯蔵モジュール３が数量の増加及び位置変更しやすくなると同時に、上述と同じ機能及び効果を得ることができる。
【００３４】
図９及び図１０に示すのは、本考案の冷暖気を貯蔵するマシンの第五実施例及び第六実施例である。本体１の左右両側に風の入口１２及び風の出口１３を設け、風の入口１２及び風の出口１３の間に、相互が導通する複数の収納槽１１２を形成する。
【００３５】
第五実施例の本体１は複数のフレーム１１を含み、該フレーム１１は並列して組み合わせる。一つのフレーム１１に開口１１１を設け、且つ開口１１１に相対して収納槽１１２を形成し、該フレーム１１に相対して該収納槽１１２の左右両側に風の入口１２及び風の出口１３を設ける。また、一つのフレーム１１に複数の足或いは複数のキャスターを具有することで、フレーム１１が地面と距離を保ち、且つキャスターによって各フレーム１１を便利に移動、置き換え及び組み合わせることができる。
【００３６】
第六実施例の本体１は一つのフレーム１１を含み、該フレーム１１は横向きに排列した複数の開口１１１を設け、且つ一つの開口１１１に収納槽１１２を形成し、フレーム１１の左右両側に風の入口１２及び風の出口１３を設ける。また、フレーム１１に複数の足或いは複数のキャスターを具有することで、フレーム１１が地面と距離を保ち、且つキャスターによって冷暖気を貯蔵するマシンを便利に移動することができる。  
【００３７】
更に第一引出２１に網状或いは多孔状の通気構造２１１を設け、第二引出３１も第一引出２１に対応して網状或いは多孔状の通気構造３１１を設ける。即ち第五実施例及び第六実施例を例に、第一引出２１の左右両側は網状或いは多孔状の通気構造２１１であり、第二引出３１の左右両側も網状或いは多孔状の通気構造３１１にすることで、第一引出２１及び第二引出３１は互いに導通する。これにより、上述と同じ機能及び効果に達する。
【００３８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３９】
１      本体
１１    フレーム
１１１  開口
１１２  収納槽
１２    風の入口
１３    風の出口
２      送風機モジュール
２１    第一引出
２１’  第一本体
２１１  網状或いは多孔状の通気構造
２２    ファン
３      エネルギー貯蔵モジュール
３１    第二引出
３１’  第二本体
３１１  網状或いは多孔状の通気構造
３２    エネルギー貯蔵ユニット
３２１  エネルギー貯蔵部品
４      空気進入モジュール
４１    第三引出
４１’  第三本体
４１１  網状或いは多孔状の通気構造
４２    ろ過ユニット
５      シート
５１    通気槽
６      ウインドシールド
６１    気流ガイド槽
７      風の入口
８      風の出口
【図１】
0003175863.tif 000003
【図２】
0003175863.tif 000004
【図３】
0003175863.tif 000005
【図４】
0003175863.tif 000006
【図５】
0003175863.tif 000007
【図６】
0003175863.tif 000008
【図７】
0003175863.tif 000009
【図８】
0003175863.tif 000010
【図９】
0003175863.tif 000011
【図１０】
0003175863.tif 000012